(57)【要約】本発明は、光ディスクに書き込むための方法及び装置を提供する。１以上の光ディスク書き込みプロセスで得られたプログラムの制御情報を光ディスク又は割り当て領域に記憶することで、光ディスクに規格に準拠した制御情報の書き込み及び記憶を終了した後、制御情報を規格に準拠した制御情報に変換する。本発明は、フレンドリなインタフェースを構築し、光ディスクの書き込み、特にリアルタイムの書き込みのランダム性により生じる規格の互換性及びインタフェースの設計の問題を克服する。
2007531170.tif 000002
【特許請求の範囲】
【請求項１】
光ディスクに書き込むための方法であって、
（ａ）光ディスクにプログラムを書き込むステップと、
（ｂ）前記プログラムの制御情報を取得するステップと、
（ｃ）前記プログラムの制御情報を規格に準拠する制御情報に変換し、前記規格に準拠する制御情報を前記光ディスクに記憶するステップと、
を含むことを特徴とする方法。
【請求項２】
前記ステップ（ｃ）の前に、他のプログラムを書き込むために前記ステップ（ａ）及び（ｂ）を繰り返すステップを更に含む、
請求項１記載の方法。
【請求項３】
割り当てられた領域にプログラムの制御情報を記憶するステップを更に有する、
請求項１又は２記載の方法。
【請求項４】
割り当てられた領域は光ディスクにある、
請求項３記載の方法。
【請求項５】
前記光ディスクの割り当て領域は、光ディスクプレーヤにより識別されるのが不可能な領域にある、
請求項４記載の方法。
【請求項６】
前記割り当て領域は、前記書き込み装置の記憶領域にある、
請求項３記載の方法。
【請求項７】
前記割り当て領域は、前記書き込み装置のハードディスクの記憶領域にある、
請求項６記載の方法。
【請求項８】
前記割り当て領域は、前記書き込み装置のセットトップ端末の記憶領域にある、
請求項６記載の方法。
【請求項９】
前記制御情報はプログラムの開始アドレスを含む、
請求項１又は２記載の方法。
【請求項１０】
前記制御情報は、プログラムのデータ符号化タイプを含む、
請求項９記載の方法。
【請求項１１】
前記制御情報は、画像のＩフレームを更に含む、
請求項１又は２記載の方法。
【請求項１２】
前記制御情報は、画像のＩフレームのアドレスを含む、
請求項１又は２記載の方法。
【請求項１３】
前記制御情報は、プログラムの開始アドレス及び画像のＩフレームを含む、
請求項１又は２記載の方法。
【請求項１４】
光ディスクに書き込むための装置であって、
光ディスクにプログラムを書き込む手段と、
前記プログラムの制御情報を取得する手段と、
前記プログラムの制御情報を規格に準拠した制御情報に変換し、前記規格に準拠した制御情報を光ディスクに記憶する手段と、
を有することを特徴とする装置。
【請求項１５】
アナログ信号をデジタル信号に変換するための符号化手段を更に有する、
請求項１４記載の装置。
【発明の詳細な説明】
【技術分野】
【０００１】
本発明は、光ストレージの分野に関し、特に光ディスクに書き込むための方法及び装置に関する。
【背景技術】
【０００２】
光ディスクへの書き込み、光ディスクのフォーマットの書込み及び規格の書込み用の多数の装置は、光ストレージ技術の開発に合わせて光ディスクを書込みする分野で述べられている。個性化による情報記録方式のような、ＴＶのような情報媒体の番組情報をリアルタイムで記録するのを可能にすることが新たな要求となっている。
【０００３】
光ディスクに容易に記憶される情報を読取り及び使用するため、対応するガイドファイルを編成することで、記憶されたプログラムを管理することが必要である。
【０００４】
光ディスクのプロダクトについて、光ディスクのプログラムの制御情報のアレンジメント及びデザインは、光ディスクを編集及び作成する間に実行することができる。光ディスクを作成する間、クリエータは、フローステップを設計し、スクリプトを書込み、ユーザインタフェースを編集し、メニューを分離し、メニューボタンを確定及びリンクし、サブタイトル等を作成し、次いで、オリジナルの編集を好適にし、一度に光ディスクに全ての情報を書き込むことができる。このプロセスは、光ディスクのプログラムの制御情報を対応する規格に準拠させ、ユーザフレンドリなインタフェースを有することができる。
【発明の開示】
【発明が解決しようとする課題】
【０００５】
しかし、（リアルタイムで書き込まれた光ディスクのような）光ディスクのノンプロダクトについて、書き込み時間のランダムさ、及び情報サイズの不確かさのために、情報を編集、設計及び処理するための作成プロセスを予め決定することは困難であり、情報のサイズがそれを満たすに十分に大きくなるまで、光ディスクを編集、作成及び書込みしないことは通常不可能である。たとえば、毎日１セットで再生されるＴＶシリアルプレイ又は週当たり特定の時間で再生される会話を書き込むとき、若しくは、一時的な決定に従って再生しているＴＶプログラムを書き込むとき、はじめにノンリアルタイムで光ディスクに書き込み、次いで編集後にガイドファイルのような管理ファイルで光ディスクに書き込むための実行方法に従ってプログラム全体を記憶しない限り、作成プロセスを有することは困難であり、番組管理の便宜のために光ディスクの最後の数分だけ短く番組を書き込む可能性は通常ない。勿論、ユーザは、リアルタイムで光ディスクに書き込まれる情報が編集されることなしに、順序付けがされてない非システマティックなプログラムスナッチ内で必要とされるプログラムを通常発見することができ、次の作業及びユーザにより受ける粗野なインタフェースは、非常に現在使用されている光ディスク書込み技術、特にリアルタイム書込み技術を調和の取れないものにする。
【０００６】
したがって、標準的、便利かつフレンドリなメニュー機能、及び光ディスクに書き込むフィールド、特にノンプロダクト光ディスクに書き込むフィールドにおける制御情報を確立するための方法及び装置を提供することが必要とされる。
【課題を解決するための手段】
【０００７】
本発明は、従来技術の問題点を克服することができ、標準的かつユーザフレンドリなインタフェースをユーザに提供することができる光ディスクを書き込む方法及び装置を提供する。
【０００８】
本発明の実施の形態に係る光ディスクを書き込むための方法は、選択されたプログラムを光ディスクに書き込み、このプロセスの間のプログラムの制御情報を取得するステップ、プログラムを光ディスクに書き込むステップを繰返し、プログラムが同じ光ディスクに書き込まれる必要がある場合に制御情報を取得するステップ、プログラムの取得された制御情報をガイド情報又は規格に準拠する他の制御情報に変換し、同じ光ディスクに書き込まれる必要がある全てのプログラムが書き込まれた場合に、規格に準拠する変換された制御情報を光ディスクに記憶するステップを含んでおり、これにより、プログラムの制御情報を対応する規格に準拠させて、ユーザフレンドリなインタフェースを有することができる。
【０００９】
本発明の別の実施の形態に係る光ディスクを書き込む装置は、プログラムを光ディスクに記憶する手段、書込みプロセスの間にプログラムの制御情報を取得する手段、プログラムの制御情報を規格に準拠した制御情報に変換し、光ディスクに規格に準拠した変換された制御情報を記憶する手段を有している。また、光ディスクに書き込みする装置は、アナログ信号をデジタル信号に変換する符号化手段を有することもでき、符号化手段は、書き込まれるべきプログラムがデジタル信号からなる場合に不要であるか、又はスタンバイである。本発明により供給される方法及び装置は、書込みプロセスの間に取得されたプログラムの制御情報から規格に準拠した制御情報への変換を実現するものであって、個人化等によるメニュー及びガイドファイルを作成し、ユーザフレンドリなインタフェースを構成するために使用することができる。
【００１０】
本発明により供給される方法及び装置は、書込みプロセスの間に得られたプログラムの制御情報から規格に準拠した制御情報への変換を実現し、個人化等によるメニュー及びガイドファイルを作成し、ユーザフレンドリなインタフェースを構成することができる。
【００１１】
本発明の他の目的及び効果は明らかとなり、本発明は、添付図面及び特許請求の範囲と共に以下の記載を参照することで更に正確に理解することができる。
本発明は、例示及び添付図面を参照して詳細に説明される。同じ参照符号は、全ての添付図面における類似又は対応する特徴及び機能を示している。
【発明を実施するための最良の形態】
【００１２】
本発明により提供される方法によれば、光ディスクの書き込みプログラムの間にプログラムの得られた制御情報を記憶するために、割り当てられた領域が定義される。この割り当てられた領域は、ハードディスク又は光ディスクの書込み装置のトップセットのような記憶領域において、又は他の記憶媒体において、光ディスクに定義することができる。割り当て領域に記憶される情報は、規格に準拠した制御情報に変換される。
【００１３】
図１は、光ディスクの情報記憶領域の概念図を示している。光ディスク１０の情報記憶領域は、３つの領域を含んでおり、プログラムのコンテンツを記憶するためのプログラム記憶領域２０、プログラムを書き込む間の得られたプログラムの制御情報を記憶するための割り当て領域３０、システムファイル、プログラムガイドファイル、メニューファイル及び光ディスクの他の制御情報ファイルを記憶するための制御情報領域４０である。
【００１４】
割り当て領域３０に記憶されるプログラムの制御情報は、処理されておらず、読み取るために光ディスク再生手段に提供される必要がない生の（未処理）情報であって、割り当て領域が光ディスク再生手段により認識されない領域、たとえば光ディスク再生手段により認識することができない光ディスクのセクタで定義することができる。書き込みプログラムの終わりの後、割り当て領域３０に記憶された制御情報は、規格に準拠する制御情報に変換され、変換された制御情報は領域４０に記憶される。変換は、プログラムの未処理の制御情報を従来の光ディスク作成プロセスで使用されるような規格に準拠した情報への処理及び編集するための方法を使用して実行することができる。
【００１５】
この割り当て領域３０は、光ディスクのアクセス可能な記録領域の非常に小さな部分を占有し、光ディスクの割り当て領域を定義することが好まれるように、光ディスクのプログラムの規則的な記憶に影響を与えない。このケースでは、プログラムの制御情報は、プログラムのコンテンツをもつ同じ光ディスクに記憶され、ユーザは、プログラム制御情報のロスに関して心配する必要がなく、制御情報を変換する間にオリジナルの制御情報をサーチするのが非常に容易である。たとえば、ユーザが他の場所に旅行又は訪問するとき、部分的に満たされた光ディスクにプログラムを書き込むために光ディスクの別の書込み装置を使用することができ、プログラムの制御情報が失われること、又は光ディスクを伴わないためにサーチするのが困難であることを心配する必要がない。たとえば、ＴＶシリアルプレイを毎日書き込むため、ユーザが１つの光ディスクに書込みするために光ディスクの同じ書込み装置を常に使用する場合、ハードディスク又は光ディスクの書込み装置のセットトップボックスにおいて、又は他の記憶媒体でこの割り当て領域を定義することは可能である。
【００１６】
図２は、本発明に係る光ディスクの書込み装置の実施の形態に関するブロック図を示している。たとえば、ブロードキャストされているＴＶプログラムを書き込むプロセスといった、書き込みプログラムのプロセスの間、プログラムは、アナログ信号の方式で光ディスク５０の書込み装置に入力され、アナログ信号は、符号化手段６０によりデジタル信号に符号化され、デジタル信号は、書込み手段７０により光ディスクのプログラム記録領域に記憶される。
【００１７】
光ディスクにプログラムを書き込む間、取得手段８０は、プログラム信号の符号化タイプ、Ｉフレームのアドレス、エンコードストリームのビットレート、ブロードキャスト時間、プログラム情報の初期アドレス等のようなプログラム制御情報を取得し、これを光ディスクの割り当て領域３０に記憶する。また、プログラムの制御情報は、書込みプログラムの終わりの後に取得手段８０により取得することもできる。この情報取得の手順は、従来の光ディスク作成プロセスで使用されるようなプログラムの制御情報を使用して実行することができる。
【００１８】
光ディスクを書き込む終わり後、すなわち、必要とされ、光ディスクに書き込みされるのが可能な全てのプログラムを書込みした終わりの後、制御が変換される。制御情報は、変換手段９０によりＤＶＤ又はＳＶＣＤディスク規格のような規格に準拠する制御情報に変換され、変換された制御情報は、光ディスク１０の制御情報領域４０に書き込まれる。この制御情報から制御情報及び規格に準拠したガイドファイルへの変換は、従来の光ディスク作成プロセスで使用される方法を使用して実行することができる。
【００１９】
図３は、本発明に係る光ディスクを書き込むための方法の実施の形態に関するフローチャートを示している。はじめに、書込み可能な光ディスク１０は、書込みプログラムを開始するため、光ディスクの書込み装置に挿入される（ステップＳ１１０）。光ディスクは、ＣＤ−Ｒ光ディスク、ＤＶＤ＋Ｒ光ディスク（一度だけ書込み可能な光ディスク）又はＣＤ−ＲＷ光ディスク、ＤＶＤ＋ＲＷ光ディスク（繰返し書込み可能な光ディスク）とすることができる。選択されるプログラムは、従来の光ディスク書込み方法に従って光ディスクに書き込まれる（ステップＳ１２０）。
【００２０】
書込みプログラムの間に発生されるプログラムの制御情報は、光ディスクの書込み装置により得られ、光ディスクの割り当て領域に記憶される（ステップＳ１３０）。プログラムの制御情報は、信号のエンコードタイプ、Ｉフレームのアドレス、エンコードストリームのビットレート、ブロードキャスト時間及びプログラムの初期アドレスを含んでいる。
【００２１】
プログラム書込みプロセスが終了したとき、光ディスクの書込み装置は、ユーザの選択に従ってこの光ディスクに他のプログラムを書き込むことが必要とされるかを判定する（ステップＳ１４０）。必要とされる場合、たとえば別の時間で他のプログラムを書き込むことが必要とされ、ステップ１１０〜１３０が繰り返される。必要とされない場合、すなわち書き込まれる必要がある全てのプログラムが光ディスクに書き込まれている場合、割り当て領域３０に記憶されている制御情報は、規格に準拠するガイドファイル、メニューファイル等のような制御情報ファイルに変換され、変換される情報は、制御情報領域４０で記憶される（ステップＳ１５０）。プログラム毎の最初のＩフレーム又は他の選択されたＩフレームは、変換プロセスの間に標準的なインタラクティブメニュー等に変換することができる。
【００２２】
図４は、本発明に従ってプログラムが書き込まれるＤＶＤ書込みフォーマットの実施の形態の図を示している。領域１７０は、ＩＳＯ９６６０システムファイル、ＵＤＦシステムファイル等を記憶するために使用されるＤＶＤ−Ｖｉｄｅｏ規格により割り当てられるシステムファイル領域であるセクタ０からセクタＰへの領域をカバーしており、ここでＰはセクタのシリアルナンバーである。
【００２３】
領域１８０は、セクタＰから最後の論理セクタの前のセクタ（ラストＬＳＮ−１セクタ、「ラストＬＳＮ」は“Last  logical  sector  number”の略記である）への領域をカバーし、これはＵＤＦファイル（「ＵＤＦ」は“Universal  Disk  Format”の略記である）又はＩＳＯ９６６０規格ファイル及びプログラムデータを記憶するために使用される。プログラムデータは、プログラムコントロールファイル、ガイドファイル、メニューファイル等のような、プログラムのコンテンツ及びプログラム制御情報を含んでいる。
【００２４】
セクタ１９０は、最後の論理セクタである。この例では最後の論理セクタ２２０００００の後の論理セクタのようなセクタ１２０の後のセクタは、光ディスク再生手段により識別することはできないが、書込み装置によりデータを書き込むために使用することができ、以下に更に詳細に記載される割り当て領域に適している。
【００２５】
領域２００は、書込みプロセスの間で得られるプログラムの制御情報を記憶するために割り当てられた領域である。領域２００の初期アドレスは、セクタ１９０に接近しており、要件に従って領域２００で保持されているセクタスペースをもつセクタ１９０後の他のアドレスを使用して定義することもできる。この例における割り当て領域２００の初期アドレスは、２２００００１である。書込みが終了したとき、領域２００に記憶された制御情報は、規格に準拠する制御情報に変換される。領域２００に記憶されている制御情報は、アセンブリされたビデオファイル名等の情報のビデオ情報ＶＩＤＥＯ−ＴＳ．ＩＦＯファイル、オーディオ情報ＡＵＤＩＯ−ＴＳ．ＩＦＯファイル、ビデオＶＩＤＥＯ−ＴＳ．ＶＯＢファイル、ＶＴＳ−０１−０．ＩＦＯファイルのようなＤＶＤ−Ｖｉｄｅｏ規格に準拠する全ての種類の情報制御ファイルに変換される。光ディスク割り当て領域２００の全体のストレージスペースの比率は、以下の式を使用して４％になるとして推定することができ、光ディスクの書込みに大きな影響を生じない。
Ｐ＝（Ｎｓ−２２００００１）
ここでＰは、光ディスクの割り当て領域の全体のストレージスペースの割合である。
ＮｓはＤＶＤの全体のセクタの量であって、この例では２２９４９１２である。
２２００００１はこの例では割り当て領域２００の初期アドレスである。
【００２６】
図５は、本発明に従ってプログラムが書き込まれるＳＶＣＤ書込みフォーマットの実施の形態の図を示している。プログラムストレージ領域２１０の初期アドレスは、この例では００：１７：０５であり、要求に従って他のアドレスとすることもできる。領域２１０は、リアルタイムで書き込まれるプログラム情報を記憶するために使用される。プログラム１及びプログラム２は、プログラムトラック０及びプログラムトラック１にそれぞれ記憶される。２つのプログラムトラックの間の１５０バイトのスペースは、ＳＶＣＤ規格により要求される。
【００２７】
プログラムの制御情報を記憶するための割り当て領域２２０の初期アドレスは、００：１０：１８であり、要求に従って他のアドレスとすることもできる。プログラム１及びプログラムの制御情報及びプログラム２のプログラムの制御情報は、プログラムストレージ領域２１０におけるプログラムトラック０及び１に対応する領域２２０に列挙されている。領域２２０における制御情報は、プログラムエンコードのデータ符号化タイプ、エンコードのビットレート、プログラムストリームの第一のセクタアドレス、プログラムの全体の再生時間、全体バイトのサイズ、アドレスカタログ、Ｉフレームの画像、Ｉフレームのアドレス等を含んでいる。
【００２８】
ＳＶＣＤ規格により供給される基本的なガイド情報を記憶するための光ディスク制御情報領域２３０の初期アドレスは００：０２：００であって、要求に従って他のアドレスとすることもできる。対応する規格と一致する領域２３０に記憶された制御情報ファイルは、光ディスク情報ファイル（ＩＮＦＯ．ＳＶＤ）、ログインリスト（ＥＮＴＲＩＥＳ．ＳＶＤ）、テーブルＩＤの行程値のリスト（ＬＯＴ．ＳＶＤ、ＩＤは再生系列テーブルのマーク番号）、再生系列記述子（ＰＳＤ．ＳＶＤ）、セグメント再生アイテム、サーチテーブル（ＳＥＡＲＣＨ  ＤＡＴ）等のようなファイルを含んでいる。
【００２９】
書込みプロセスの間、選択されたプログラムは、ＳＶＣＤ規格に従う光ディスクのプログラムストレージ領域２１０に記憶され、Ｉフレームの符号化画像、得られたプログラムのアドレス及び他の制御情報は、所定のインターバル時間（たとえば０．５秒）毎に割り当て領域２２０に記憶される。他のプログラムが同じ光ディスクに書き込まれる必要がある場合、書込みプロセスの間に作成されたプログラムの制御情報は、割り当て領域２２０にも記憶される。
【００３０】
光ディスク書込みが終了されたとき、割り当て領域２２０に記憶された制御情報は、ＳＶＣＤ規格に準拠する制御情報に変換され、変換された情報は領域２３０に記憶される。変換プロセスの間、各プログラムトラックにおける最初のフレームの画像又はプログラムのＩフレームの所定の画像は、インタラクティブメニューを形成するために選択され、基本ガイド情報機能ファイル及び他の制御情報ファイルを形成することができ、ユーザフレンドリインタフェースを設定することができる。
【００３１】
割り当て領域２２０が割合を占める光ディスクの全体のストレージスペースの比率は、以下の式で推定することができる。
Ｐ＝ＮＭ×（９＋３×Ｔ／０．５）／（６５０×１０２４×１０２４）
ここでＰは割り当て領域が割合を占める光ディスクの全体のストレージスペースの比率である。ＮＭはプログラムトラックの量であり、Ｔは全体の再生時間であって、その単位が秒である。
【００３２】
３つのプログラムトラックが存在し、全体の再生時間が３０分であるとすると、先の式によれば、割り当て領域が割合を占める光ディスクの全体のストレージスペースの比率は、０．００５％よりも低く、余りに低いために光ディスクのプログラムの記憶に影響を及ぼさない。
【００３３】
本発明により供給される光ディスクに書き込むための方法及び装置は、プログラムの制御情報が要求された規格に従って記憶することができるものであって、ＳＶＣＤ規格、ＤＶＤ−Ｖｉｄｅｏ規格及び他の光ディスク規格のような異なる規格についてフィットするものであって、光ディスクの作成、特に、リアルタイムでの光ディスクの書込みに適しており、繰返し書き込むことができる光ディスク、特に一度だけ書き込むことの出来る光ディスクに適している。本発明によれば、光ディスクへの書込みは時間に制限されず、フレンドリかつ標準的なユーザインタフェース、ガイドファイル等を保証するためにプログラムを書き込む前に対応する作成プロセスを予め決定することが必要ではない。
【００３４】
本発明は実施の形態を参照して記載されたが、先に記載された内容に従って代替、変更及び変形をなすことは明らかである。したがって、全てのこれら代替、変更及び変形は、本発明の請求項の精神及び範囲に含まれる。
【図面の簡単な説明】
【００３５】
【図１】光ディスクの情報記録領域の概念図である。
【図２】プログラムを書き込むために使用される本発明に係る光ディスクを書き込むための装置の実施の形態に関するブロック図である。
【図３】本発明に係る光ディスクを書き込むための方法の実施の形態に関するフローチャートである。
【図４】本発明に従ってプログラムが書き込まれるＤＶＤ書込みフォーマットの図である。
【図５】本発明に従ってプログラムが書き込まれるＳＶＣＤフォーマットの図である。
【図１】
2007531170.tif 000003
【図２】
2007531170.tif 000004
【図３】
2007531170.tif 000005
【図４】
2007531170.tif 000006
【図５】
2007531170.tif 000007
【国際調査報告】
2007531170.tif 000008
2007531170.tif 000009